(57)【特許請求の範囲】
【請求項１】
マイクロホンを支持するアームを長さ方向に複数に分割し、その分割アームの少なくとも一つを２本の棒材で構成し、前記分割アーム同士を、それぞれ弾性体を介して連結したことを特徴とするアーム付きマイクロホン。
【請求項２】
マイクロホンを支持するアームを２本の平行な棒材部分を有する分割アームとし、前記分割アームの前記マイクロホンへの固定を弾性体を介して行なうことを特徴とするアーム付きマイクロホン。
【請求項３】
前記分割アームの前記マイクロホン固定側と反対側の端部が、スピーカ部に取り付けられるタイプのものである請求項１又は２に記載のアーム付きマイクロホン。
【請求項４】
前記分割アームの前記マイクロホン固定側と反対側の端部が、卓上スタンドに取り付けられるタイプのものである請求項１又は２に記載のアーム付きマイクロホン。
【請求項５】
前記分割アームの端部が前記スピーカ部又は前記卓上用スタンドに、弾性体を介して固定される請求項３又は４に記載のアーム付きマイクロホン。
【請求項６】
前記分割アームが適宜湾折曲されている請求項１乃至５のいずれかに記載のアーム付きマイクロホン。
【発明の詳細な説明】
【０００１】
【発明の属する技術分野】
本発明はアーム付きマイクロホン、より詳細には、無線通信、携帯電話などの通信用機械器具の付属品であって、スピーカ部に取り付けられ、あるいは、卓上等に置かれるアーム付きマイクロホンに関するものである。
【０００２】
【従来の技術】
従来、スピーカと、そこから口元に伸びるアームの先端に取り付けられたマイクロホンとを備えた通信用機械器具の付属品としては、図８に示すような、ヘッドホンのスピーカハウジング部３１に、先端にマイクロホン３３を取り付けたアーム３２を固定するヘッドセットタイプのものや、図９に示すような、スピーカ３１にアーム３２を直接接合するもの等がある。
【０００３】
携帯電話等でこのようなセットを使用して双方向同時通話を行なうと、スピーカからの音声がアームを伝わってマイクロホンに戻ってしまい、通話相手にとっては聴きづらくなることがあり、時には、ハウリングを起こすこともある。この傾向は、骨伝導スピーカを使った機種で特に顕著となる。
【０００４】
この問題を解決するために、マイクロホンユニットとマイクロホンを収納するケースとの間に軟らかいゴム製のブーツ等を使用することで、スピーカの振動をマイクロホンに伝えにくくする等の工夫もなされているが、効果が十分でないものが多い。
【０００５】
また、卓上等に置かれるアーム付きマイクロホンもあるが、その場合にも、テーブル等に対する衝撃や振動がアームを伝わってマイクロホンに達し、雑音としてピックアップされる虞がある。
【０００６】
【発明が解決しようとする課題】
従来のアーム付きマイクロホンには上述したような問題があったので、本発明はそのような問題のない、即ち、スピーカ等から発生する振動のマイクロホンへの伝達を防止し得るアーム付きマイクロホンを提供することを課題とする。
【０００７】
【課題を解決するための手段】
本発明は、マイクロホンを支持するアームを長さ方向に複数に分割し、その分割アームの少なくとも一つを２本の棒材で構成し、前記分割アーム同士を、それぞれ弾性体を介して連結したことを特徴とするアーム付きマイクロホン、並びに、マイクロホンを支持するアームを２本の平行な棒材部分を有する分割アームとし、前記分割アームの前記マイクロホンへの固定を弾性体を介して行なうことを特徴とするアーム付きマイクロホン、を以て上記課題を解決した。
【０００８】
【発明の実施の形態】
本発明の実施の形態を添付図面に依拠して説明する。図１、図３及び図４は、本発明に係るアーム付きマイクロホンの、それぞれ異なる実施形態を示すものである。
【０００９】
まず、図１及び図２に示すアーム付きマイクロホンについて説明する。この実施例では、アーム部分がその長さ方向に分割アーム１と分割アーム２の２つに分割され、分割アーム１と分割アーム２は、２つの弾性体３、４を介して接合される。
【００１０】
分割アーム１は２本の棒材で構成され、その一端にマイクロホン５が固定され、その他端及び中間部に、２本の棒材を跨ぐように弾性体３、４が配備される。また、分割アーム２はその一端がスピーカ６に固定され、その他端が弾性体３、４の中心部に挿通固定され、弾性体３、４間において分割アーム１の２本の棒材間に収まる。
【００１１】
必要に応じて分割アーム１、２の一方又は双方を湾曲させ、マイクロホン５が口元に向かうようにすることもある。また、分割アーム１、２の途中にヒンジ構造を設け、角度調整可能にすることもある。
【００１２】
上記のように分割アーム１と分割アーム２は直接ではなく、弾性体３、４を介して連結されるため、スピーカ６の振動が、分割アーム２から分割アーム１（マイクロホン５）に直接伝達されることはない。弾性体３、４は、ゴム又はシリコーン樹脂等のプラスチック製である。
【００１３】
次に、図３に示すアーム付きマイクロホンについて説明する。この実施例では、アーム部分が分割アーム７、分割アーム８及び分割アーム９の３つに分割されている。分割アーム７は上記アーム１と同じ構成で、２つの弾性体１０、１１が取り付けられ、一端がマイクロホン５に固定される。また、分割アーム９も上記分割アーム１と同じ構成で、２つの弾性体１２、１３が取り付けられる。但し、分割アーム９は、その一端がスピーカ６に固定される。
【００１４】
分割アーム７と分割アーム９は、適宜間隔を置いて、各弾性体１０〜１３の中心部に挿通固定される分割アーム８を介して連結される。図示した分割アーム８は、上記分割アーム１と分割アーム２と同様の状態にて、各分割アーム７、９の棒材間に収まる。この場合の分割アーム７〜９についても、上記同様湾曲させたり、ヒンジ構造を設けたりすることがある。
【００１５】
続いて、図４及び図５に示すアーム付きマイクロホンについて説明する。この実施例における分割アーム１４は、横長の四角形状のアームであって、端部がそれぞれマイクロホン５とスピーカ６に延設したアーム取付部１５、１６に埋入固定される。
【００１６】
各アーム取付部１５、１６のアーム埋入溝１７はコ字状又はＵ字状を呈していて、その一方又は双方に弾性体１８が充填され、そこに分割アーム１４の端部が押し込まれる。言うまでもなくその作業は、各アーム取付部１５、１６を半割りにした状態にて行なわれる。弾性体１８は、予め分割アーム１４の端部に固定しておいてもよい。この場合の分割アーム１４についても、上記同様湾曲させたり、ヒンジ構造を設けたりすることがある。
【００１７】
図６はアーム埋入溝１７の別構成例を示すもので、弾性体１８が３つに分割され、それぞれアーム埋入溝１７に設けた凹部１９に収まるようにしたものである。この構成は、分割アーム１４に過度の荷重がかかって引張られたり、曲げられたりした場合に、弾性体１８を保護するためのものである。
【００１８】
図７は、従来の実施例（図９参照）と本発明に係る実施例（図１、図３参照）において、マイクロホンを骨伝導スピーカとして、スピーカに一定の入力を加えてマイクロホンに発生する出力を測定したものである。Ａのカーブは従来例を、Ｂのカーブは本発明に係る弾性体が２個所の場合（図１）を、Ｃのカーブは本発明に係る弾性体が４個所の場合（図３）を示す。
【００１９】
この実験結果から、弾性体が２個所でも十分効果があるが、４個所にすると更に大きな効果が得られることが分かる（１〜２．５（ｋＨｚ）で、約３０（ｄＢ）落ちている）。
【００２０】
上述した実施例は、いずれもアームをスピーカ部に取り付けるタイプのセットに関するものであるが、卓上型のセットの場合には、アームは、それぞれ上記実施形態の場合と同じようにして卓上用スタンドに固定される。
【００２１】
【発明の効果】
本発明は上述した通りであって、スピーカの振動がマイクロホンに及ぼす影響を大幅に低減することができる。また、弾性体の材料の選択によって、更に大きな防振効果を得ることができる。
【図面の簡単な説明】
【図１】本発明に係るアーム付きマイクロホンの実施例を示す図である。
【図２】弾性体の形状例を示す斜視図である。
【図３】本発明に係るアーム付きマイクロホンの別の実施例を示す図である。
【図４】本発明に係るアーム付きマイクロホンの更に別の実施例を示す図である。
【図５】図４におけるＡ−Ａ線拡大断面図である。
【図６】図４に示す実施例の変形例を示す図である。
【図７】スピーカの入力と、それに起因するマイクロホンに発生する出力の関係を示す図である。
【図８】従来のスピーカとマイクロホンのセット例を示す図である。
【図９】従来のスピーカとマイクロホンの他のセット例を示す図である。
【符号の説明】
１    分割アーム
２    分割アーム
３    弾性体
４    弾性体
５    マイクロホン
６    スピーカ
７    分割アーム
８    分割アーム
９    分割アーム
１０  弾性体
１１  弾性体
１２  分割アーム
１３  スピーカ
１４  分割アーム
１５  アーム取付部
１６  アーム取付部
１７  アーム埋入溝
１８  弾性体
１９  凹部
【図１】
0003634756.tif 000002
【図２】
0003634756.tif 000003
【図３】
0003634756.tif 000004
【図４】
0003634756.tif 000005
【図５】
0003634756.tif 000006
【図６】
0003634756.tif 000007
【図７】
0003634756.tif 000008
【図８】
0003634756.tif 000009
【図９】
0003634756.tif 000010